【事件の表示】
　特許第３４０５８８０号「デジタル複写装置」の請求項１、２に係る特許に対する特許異議の申立てについて、次のとおり決定する。
【結　論】
　特許第３４０５８８０号の請求項１、２に係る特許を維持する。
【理　由】
１．手続の経緯
　　特許第３４０５８８０号の請求項１、２に係る発明は、平成８年１月２６日に特許出願され、平成１５年３月７日にその発明について特許の設定登録がなされ、その後、市東勇より特許異議の申立てがなされ、平成１６年４月２１日に取消理由通知がなされ、その指定期間内である平成１６年７月１２日に訂正請求がされた後、訂正拒絶理由が通知され、平成１６年９月２７日に手続補正がなされたものである。
　　　
２．訂正の適否についての判断
２−１．訂正請求に対する補正の適否について
　平成１６年９月２７日の手続補正は、訂正請求書の、特許請求の範囲の請求項１、段落【０００５】、段落【０１３１】のそれぞれの記載である、
「動作予約中の原稿読み取り終了後であって前記印刷可能となるまでの間に、前記自動原稿送り手段に次の原稿が載置された
と判断された場合
を、
「動作予約中の原稿読み取り終了後であって前記印刷可能となるまでの間に、前記自動原稿送り手段に次の原稿が載置された
ことと
と補正するものである。
　
　「前記自動原稿送り手段に次の原稿が載置された
と判断された場合
ことと
　したがって、平成１６年９月２７日の補正は認めることはできない。
　
２−２．平成１６年７月１２日付けの訂正請求について
２−２−１．訂正の内容
　特許権者が求めている訂正の内容は、以下のとおりである。
（ａ）訂正事項ａ
　特許請求の範囲の請求項１について　
「【請求項１】　原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，
　前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備え，
　前記操作表示手段は，さらに動作予約中の原稿追加が可能か否かを示す動作予約追加原稿設定フラグを設定可能なものであり，
　前記制御手段は，さらに，動作予約中の原稿読み取り終了後であって前記印刷可能となるまでの間に，前記自動原稿送り手段に次の原稿が載置された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させることを特徴とするデジタル複写装置。」
とあるのを、
「【請求項１】　原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，
　前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備え，
　前記操作表示手段は，さらに動作予約中の原稿追加が可能か否かを示す動作予約追加原稿設定フラグを設定可能なものであり，
　前記制御手段は，さらに，動作予約中の原稿読み取り終了後であって前記印刷可能となるまでの間に，前記自動原稿送り手段に次の原稿が載置されたと判断された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させることを特徴とするデジタル複写装置。」
と訂正する。
（ｂ）訂正事項ｂ
　発明の詳細な説明について、上記訂正事項ａに示した特許請求の範囲の訂正に伴い、この特許請求の範囲の記載と発明の詳細な説明の記載との整合をとるため、【課題を解決するための手段】および【発明の効果】の欄を下記のように訂正する。
　段落【０００５】の記載を
　「【０００５】
【課題を解決するための手段】上記の目的を達成するために，請求項１に係るデジタル複写装置は，原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備え，前記操作表示手段は，さらに動作予約中の原稿追加が可能か否かを示す動作予約追加原稿設定フラグを設定可能なものであり，前記制御手段は，さらに，動作予約中の原稿読み取り終了後であって前記印刷可能となるまでの間に，前記自動原稿送り手段に次の原稿が載置されたと判断された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させるものである。」
　と訂正する。
　段落【０１３１】の記載を
　「【０１３１】
【発明の効果】以上説明したように，本発明のデジタル複写装置（請求項１）は，原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備えたため，立ち上げ時間を有効に活用してコピー生産性の向上を図ることできる。特に，原稿の画像を前記記憶手段から前記画像読取手段に転送して印刷を行えるため，前記画像読取手段の読み取り速度に制限されることなく，印刷時の動作速度を遠くでき，印刷にかかる時間を短縮できる。また，操作表示手段は，さらに動作予約中の原稿追加が可能か否かを示す動作予約追加原稿設定フラグを設定可能なものであり，制御手段が，さらに，動作予約中の原稿読み取り終了後であって前記印刷可能となるまでの間に，前記自動原稿送り手段に次の原稿が載置されたと判断された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させるため，立ち上げ時間を有効に活用してコピー生産性の向上を図ることできると共に，さらに利便性の向上を図ることができる。」
　と訂正する。
　
２−２−２．訂正の目的の適否、新規事項の有無及び拡張・変更の存否
　上記訂正事項に関連する記載として、願書に添付した明細書（以下、「特許明細書」という。）の発明の詳細な説明の段落【００７２】〜【００７３】には、
「【００７２】続いて、メインコントローラ４０１は、動作予約状態が受付可能か否かを判定し（Ｓ８０３）、受付可能である場合には、動作予約状態を待機中し（Ｓ８０４）、原稿セット検出センサ１０８の出力に基づいてＡＤＦ１０１に原稿がセットされているか否かを判定し（Ｓ８０５）、原稿がセットされていない場合、処理を終了し、原稿がセットされている場合、動作予約状態を読み取り動作中にして（Ｓ８０６）、処理を終了する。
【００７３】一方，ステップＳ８０３において，動作予約状態が受付可能でない場合，メインコントローラ４０１は，動作予約中に追加原稿のセットが可能であることを示す動作予約追加原稿設定（フラグ）がＯＮであるか否かを判定し（Ｓ８０７），ＯＮでない場合，ステップＳ８０９へ進み，ＯＮである場合には，動作予約状態が読み取り終了待機中であるか否かを判定し（Ｓ８０８），待機中である場合，ステップＳ８０５へ進む。」
と記載されている。
　また、図８では、〈ＡＤＦ原稿セットあり？〉（ステップＳ８０５）の判断は、〈動作予約追加原稿可能設定＝ＯＮ？〉（ステップＳ８０７）の判断の後に設けられている。
　
　このように、特許明細書の記載では、動作予約中に追加原稿のセットが可能であることを示す動作予約追加原稿設定（フラグ）がＯＮであるか否かを判定し（Ｓ８０７）、ＯＮである場合には、動作予約状態が読み取り終了待機中であるか否かを判定し（Ｓ８０８）、待機中である場合、ステップＳ８０５へ進み、原稿セット検出センサ１０８の出力に基づいてＡＤＦ１０１に原稿がセットされているか否かを判定している。
　しかし、上記訂正事項ａによると、自動原稿送り手段に次の原稿が載置されたと判断された場合，前記動作予約追加原稿設定フラグがＯＮか否かを判断して，前記動作予約追加原稿設定フラグにＯＮが設定されているときに，原稿読み取りを再開することとなる。
　したがって、上記訂正事項ａは、その判断の順序が特許明細書に記載された順序と逆になっているから、特許明細書には記載されていないことである。
　
　よって、上記訂正事項ａは、願書に添付した明細書又は図面に記載した事項の範囲内において、特許請求の範囲の減縮し、明りょうでない記載の釈明をしたものとは認められない。また、訂正事項ａによる訂正に伴い、特許請求の範囲の記載と発明の詳細な説明の記載との整合を取るための訂正である、訂正事項ｂも明りょうでない記載の釈明であるとは認められない。
　
２−２−３．むすび
　以上のとおりであるから、当該訂正は、平成１５年改正前の特許法第１２０条の４第３項において準用する同第１２６条第２項の規定に適合しないので、当該訂正は認められない。
　
３．特許異議の申立てについての判断
３−１．申立理由の概要
　特許異議申立人市東勇は、特許第３４０５８８０号の請求項１、２に係る発明の特許に対して、証拠として、甲第１号証（特開平４−３０６０６２号公報）、甲第２号証（特開平４−３３０８５１号公報）を提出し、本件請求項１、２に係る発明の特許は特許法第２９条第２項の規定に違反してなされたものであるから、本件発明についての特許を取り消すべき旨主張している。
　
３−２．本件発明
　特許第３４０５８８０号の請求項１、２に係る発明は、上記のように平成１６年７月１２日付けの訂正請求は認められないので、特許公報の特許請求の範囲の請求項１、２に記載された次の事項により特定されるとおりのものである。
「【請求項１】　原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，
　前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備え，
　前記操作表示手段は，さらに動作予約中の原稿追加が可能か否かを示す動作予約追加原稿設定フラグを設定可能なものであり，
　前記制御手段は，さらに，動作予約中の原稿読み取り終了後であって前記印刷可能となるまでの間に，前記自動原稿送り手段に次の原稿が載置された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させることを特徴とするデジタル複写装置。
【請求項２】　前記制御手段は，さらに，動作予約中の原稿読み取り終了後であって前記印刷可能となるまでの間に，前記自動原稿送り手段に次の原稿が載置され，かつ前記動作予約追加原稿設定フラグにＯＮが設定されている場合に，前記操作表示手段を介して，追加原稿として読み取りを開始する旨を報知することを特徴とする請求項１記載のデジタル複写装置。」
　
３−３．取消理由通知の概要
　本件請求項１、２に係る発明は刊行物１（特開平４−３０６０６２号公報）、及び刊行物２（特開平４−３３０８５１号公報）に記載された発明に基づいて当業者が容易に発明をすることができたものであるから、本件請求項１、２に係る発明は、特許法第２９条第２項の規定に違反してされたものであり、同法第１１３条第２号に該当する。
　
３−４．刊行物
３−４−１．刊行物１（特開平４−３０６０６２号公報）
（１）「【請求項１】　原稿（１）を読み取る原稿読取り手段（２）と、この原稿読取り手段（２）にて読み取られた画像デ−タ（ＤＴ）を一時蓄積する画像蓄積手段（３）と、この画像蓄積手段（３）に蓄積された画像デ−タ（ＤＴ）に基づいて電子写真プロセスによる印字を行う画像印字手段（４）とを備えたデジタル電子写真複写装置において、電源投入時に上記原稿読取り手段（２）及び画像蓄積手段（３）の起動終了を確認した時点で、上記画像印字手段（４）の起動終了を確認する前に原稿読取り手段（２）の原稿読取り動作及び画像蓄積手段（３）の画像蓄積動作を先行開始させるジョブ制御手段（５）を備えたことを特徴とするデジタル電子写真複写装置。」（刊行物１の２頁１欄２〜１４行、特許請求の範囲【請求項１】）
（２）「【０００９】
【課題を解決するための手段】すなわち、第一の技術的手段を解決する第一の発明は、図１に示すように、原稿１を読み取る原稿読取り手段２と、この原稿読取り手段２にて読み取られた画像デ−タＤＴを一時蓄積する画像蓄積手段３と、この画像蓄積手段３に蓄積された画像デ−タＤＴに基づいて電子写真プロセスによる印字を行う画像印字手段４とを備えたデジタル電子写真複写装置を前提とし、電源投入時に上記原稿読取り手段２及び画像蓄積手段３の起動終了を確認した時点で、上記画像印字手段４の起動終了を確認する前に原稿読取り手段２の原稿読取り動作及び画像蓄積手段３の画像蓄積動作を先行開始させるジョブ制御手段５を備えたことを特徴とするものである。」（刊行物１の３頁４欄１９〜３２行、段落【０００９】）
（３）「【００２６】ＩＩ．装置の各構成要素
（１）画像入力装置
これは、図７及び図８に示すように、原稿２１をプラテン２２上へ順次自動的に供給する両面自動原稿送り装置（以下、ＤＡＤＨ〔Ｄｕｐｌｅｘ　Ａｕｔｏｍｔｉｃ　Ｄｏｃｕｍｅｎｔ　Ｈａｎｄｌｅｒ〕という）２３と、プラテン２２上の原稿２１を読み取るラスタインプツトスキヤナ（以下ＲＩＳ〔ＲａｓｔｅｒＩｎｐｕｔ　Ｓｃａｎｎｅｒ〕という）３５と、このＲＩＳ３５からの画像デ−タＤＴに対し各種処理（所謂シエ−デイング補正、ゴ−スト補正、地肌除去等）を施すと共に、所望の各種編集（拡大縮小、斜体、網掛け、白抜き、影付け等）を施す画像処理モジユ−ル４５とを備えている。
【００２７】この実施例において、上記ＤＡＤＨ２３は、原稿セツト位置２４からプラテン２２へ向かう原稿供給パス２６と、プラテン２２から原稿収容位置２５へ向かう原稿戻しパス２７と、プラテン２２から原稿収容位置２５へ原稿２１を反転させた戻す原稿反転用戻しパス２８と、原稿収容位置２５から再度プラテン２２へ向かう原稿再供給パス２９と、原稿供給パス２６及び原稿再供給パス２９からの原稿２１をプラテン２２上へ搬送するドキユメントトランスポ−ト３０と、各原稿送りパス２６〜２９に適宜設けられる搬送ロ−ル３１，搬送ベルト３２とで構成されている。そして、片面原稿２１を供給する際には原稿送りパス２６，２７が使用され、また、両面原稿２１を供給する際には、先ず原稿送りパス２６，２８が使用され、次いで、原稿送りパス２９，２７が使用されるようになつている。
【００２８】また、上記ＲＩＳ３５は、プラテン２２の一方向に沿つて移動するスキヤンキヤリツジ３６にスキヤン用の蛍光ランプ３７を搭載し、この蛍光ランプ３７にてプラテン２２上の原稿２１に光を移動照射し、その反射光を適宜光学系３８を経てイメ−ジセンサ（この実施例ではＣＣＤ〔Ｃｈａｒｇｅ　Ｃｏｕｐｌｅｄ　Ｄｅｖｉｃｅ〕が使用されている）３９へ導くようになつている。そして、イメ−ジセンサ３９に読取られた画像デ−タはセンサインタフエ−ス４０を経てオ−トゲインコントロ−ル回路４１へ送出され、適宜ゲイン調整された後に画像処理モジユ−ル４５へ供給される。尚、図８において、符号４２は蛍光ランプ３７の温度制御を行うランプヒ−タである。
【００２９】ＩＩ−（２）画像蓄積装置
図７において、画像蓄積装置５０は、画像処理モジユ−ル４５からの画像デ−タＤＴを既知の圧縮アルゴリズムに従つて圧縮するデ−タ圧縮器５１と、このデ−タ圧縮器５１で圧縮された画像デ−タＤＴを画像デ−タフアイルとして蓄積するハ−ドデイスク装置５２と、このハ−ドデイスク装置５２に蓄積された圧縮画像デ−タＤＴを既知の伸長アルゴリズムに従つて伸長するデ−タ伸長器５３と、上記デ−タ圧縮器５１からの画像デ−タＤＴをハ−ドデイスク装置５２に蓄積する際、あるいは、ハ−ドデイスク装置５２からの画像デ−タＤＴをデ−タ伸長器５３に転送する際に、１頁分の画像デ−タＤＴを一旦格納するバツフアとしてのペ−ジメモリ５４とで構成される。」（刊行物１の５頁８欄１２行〜６頁９欄１６行、段落【００２６】〜【００２９】）
（４）「【００３３】ＩＩ−（３）画像印字装置
図７において、画像印字装置６０は、上記デ−タ伸長器５３からの画像デ−タＤＴに基づく光画像を生成するラスタアウトプツトスキヤナ（以下ＲＯＳ〔Ｒａｓｔｅｒ　Ｏｕｔｐｕｔ　Ｓｃａｎｎｅｒ〕という）６１と、電子写真プロセスに従つて、上記ＲＯＳ６１にて生成された光画像に対応する潜像を形成し、この潜像を記録用紙上で可視像化するプリントモジユ−ル７０と、上記ＲＯＳ６１の書込みタイミングに同期して記録用紙をプリントモジユ−ル７０へ供給する用紙供給装置８０と、プリントモジユ−ル７０による印字動作過程が終了した段階で、プリント用紙束に対して適宜後処理（例えばステ−プリング、テ−プバインデイング処理等）を施すフイニツシヤ８２とで構成されている。
【００３４】この実施例において、上記ＲＯＳ６１及びプリントモジユ−ル７０としては例えば図９に示すようなものが用いられる。同図において、符号６２は半導体レ−ザ、６３は半導体レ−ザ６３からのビ−ムを所定の走査範囲に亘つて偏向するポリゴンミラ−、６４はポリゴンミラ−６３にて偏向されたビ−ムを後述する感光ドラム７１上の走査ラインに沿つて結像させる結像レンズ、６５は感光ドラム７１上の走査ライン部位にビ−ムを導くための反射ミラ−、６６は半導体レ−ザ６２を駆動するレ−ザドライバ、６７はポリゴンミラ−６３の駆動モ−タ６３ａを駆動するモ−タドライバ、６８は画像蓄積装置５０からの画像デ−タＤＴに基づいてレ−ザドライバ６６及びモ−タドライバ６７に所定の制御信号を送出するＲＯＳコントロ−ラである。
【００３５】また、符号７１は周囲に光導電性の感光体層が形成される感光ドラム、７２は感光ドラム７１を予め帯電する帯電コロトロン、７３は感光ドラム７１上にＲＯＳ６１にて書き込まれた潜像（画像部電位が背景部電位よりも低いネガ潜像、あるいは、画像部電位が背景部電位よりも高いポジ潜像）をトナ−現像する現像器、７４は用紙供給装置８０からのプリント用紙８１を帯電し、このプリント用紙８１に感光ドラム７１上のトナ−像を転写させる転写コロトロン、７５は転写工程が終了したプリント用紙８１を感光ドラム７１から分離する分離コロトロン、７６は感光ドラム７１上の残留電荷を除去する除電コロトロン、７７は感光ドラム７１上の残留トナ−を除去するクリ−ナ、７８はプリント用紙８１に転写されたトナ−像を加熱定着させる熱定着方式のフユ−ザ（定着器）である。
【００３６】ＩＩ−（４）ユ−ザインタフエ−ス
図６及び図７において、ユ−ザインタフエ−ス９０は、ジョブプログラム等を表示するＣＲＴデイスプレイ９１と、ジョブプログラム等を指示するためのコントロ−ルボ−ド９２と、ＣＲＴデイスプレイ９１上の表示位置を指示するマウス９３とを備えている。」（刊行物１の６頁９欄３９行〜同頁１０欄３７行、段落【００３３】〜【００３６】）
（５）上記の記載より刊行物１には次のことが記載されいる。
「原稿（１）を読み取る原稿読取り手段（２）と、この原稿読取り手段（２）にて読み取られた画像デ−タ（ＤＴ）を一時蓄積する画像蓄積手段（３）と、この画像蓄積手段（３）に蓄積された画像デ−タ（ＤＴ）に基づいて電子写真プロセスによる印字を行う画像印字手段（４）とを備えたデジタル電子写真複写装置において、電源投入時に上記原稿読取り手段（２）及び画像蓄積手段（３）の起動終了を確認した時点で、上記画像印字手段（４）の起動終了を確認する前に原稿読取り手段（２）の原稿読取り動作及び画像蓄積手段（３）の画像蓄積動作を先行開始させるジョブ制御手段（５）を備えたことを特徴とするデジタル電子写真複写装置。」
　
３−４−２．刊行物２（特開平４−３３０８５１号公報）
（１）「【０００４】本発明はこれらと対照的に、複数の小さな印刷ジヨブからひとつの印刷ジヨブを構成することができる印刷装置に効果的なジヨブ追加プロセスであつて、該印刷装置が走査すべき文書の置かれるプラテンを備えた文書走査手段を有し、該走査手段が文書を走査するためにプラテンに入力し文書画像を画像信号に変換して印刷を実施するための自動および手動の文書処理モ−ドを有する方法を提供するもので、諸ステツプには次のものが含まれている：手動文書ハンドリングモ−ドに置ける走査手段の操作に対応する自動ジヨブ追加の実行、自動文書ハンドリングモ−ドに置ける走査手段の操作に対応する手動ジヨブ追加の実行、およびジヨブ追加処理の実行に対応したスキヤナによる次ジヨブ走査の防止。」（刊行物２の３頁３欄２２〜３４行、段落【０００４】）
（２）「【００３３】ジヨブのプログラミング終了後、オペレ−タが追加資料によるジヨブを追加もしくは補充したい場合、例えばジヨブの内容が異なつている（すなわち連続ト−ンのテキスト、異なる色の用紙、など）場合、一度に文書ハンドラ−に装置するにはジヨブが大きすぎる場合、当該ジヨブ内に別々の処理を必要とする文書が含まれている（すなわち異なる寸法や色など）場合、などでは本発明のジヨブ追加機能を用いる。オペレ−タはすでに述べたジヨブをプログラムする際と同様の方法で追加ジヨブをプログラムし、ジヨブチケツト１５０並びにジヨブ点数票を作成する。
【００３４】追加ジヨブに含まれる文書がＲＤＨモ−ドまたはＣＦＦモ−ドのいずれかで操作される場合、ジヨブ補充は手動で実行しなければならない（ジヨブ追加選択？）。このため、ジヨブ追加とラベルされているアイコンの形をしたソフトボタン１６０がシステムソフトウエアによつてタツチスクリ−ン６２上に表示され、タツチスクリ−ン６２上のアイコンを指で触るか、タツチスクリ−ン６２上に表示されるマウスカ−ソル１２６を使つてジヨブ追加ボタンを指してマウス６６のボタンを押すことで実行できる。
【００３５】ＲＤＨモ−ドによる操作が行われるとき（走査ＲＤＨ／ＣＦＦ追加）に、オペレ−タはジヨブ追加に含まれる文書をＡＤＦ３５の文書トレイ３７に装填して、タツチスクリ−ン６２上に表示される「走査開始」アイコンを指で触るかマウス６６を用いて実行する。ジヨブ追加機能によつて走査が開始してからは、「ジヨブ追加」アイコン１６０の表示は「ジヨブ終了」アイコン１６４に置き換わる（ジヨブ終了ボタンを使用可能にする／ジヨブ終了ボタンをイネ−ブルにする）ことでオペレ−タにスキヤナ−部７がジヨブ追加モ−ドにあることを注意している。ジヨブ追加機能の実行によつてジヨブ追加機能が解除されるまでスキヤナ−部７による次のジヨブの走査は行われない。通常、これはジヨブ終了アイコン１６４を指で触るかアイコン１６４をマウスカ−ソルで指してマウス６６を押すことで有効になる。
【００３６】ジヨブ追加文書がコンピユ−タ用紙である場合も手順は同様であるが、ＣＦＦモ−ドにあるＡＤＦ３５を代りに使用する点のみが異なつている。
【００３７】ＡＤＦ３５がＳＡＤＨモ−ド、手動プラテンモ−ド、またはブツクモ−ドで動作している限り（ＳＡＤＨまたはプラテンを走査するか？）、ジヨブ追加機能は自動的に起動される（ＳＡＤＨ走査／プラテン追加）。結果的にジヨブ追加アイコン１６０はジヨブ終了アイコン１６４に置き換えられ（ジヨブ終了ボタンを使用可能にする／ジヨブ終了ボタンをイネ−ブルにする）、ジヨブ追加機能が解除されるまで次のジヨブの走査は行われない。これはまた、ＡＤＦ３５がＣＦＦモ−ドで動作してＣＦＦスタツクの一部のみを走査している場合（選択ペ−ジのＣＦＦ走査？）でもある。ジヨブ追加アイコン１６０を起動してジヨブ追加機能が手動で実行された場合のように、これらの場合のジヨブ追加機能の解除はタツチスクリ−ン６２上のジヨブ終了ボタン１６４を直接触れて、またはアイコン１６４をカ−ソル１２６で指してマウス６６を押すことにより（ジヨブ終了を選択）、またはＲＤＨモ−ドを選択することで手動により行うことができる。」（刊行物２の５頁８欄２６行〜６頁９欄３３行）
　
３−５．対比・判断
３−５−１．請求項１に係る発明について
　請求項１に係る発明と刊行物１に記載された発明とを対比すると、両者は、
「原稿台に載置された複数の原稿を一枚ずつ原稿読取位置まで給送する自動原稿送り手段と，前記自動原稿送り手段によって原稿読取位置に給送された原稿の画像を読み取る画像読取手段と，前記画像読取手段で読み取った画像を記憶する記憶手段と，前記画像読取手段で読み取った画像を転写紙に印刷する画像印刷手段と，定着温度のプレヒート時間等のように印刷可能となるまでの間に動作予約を設定可能な操作表示手段と，を備えたデジタル複写装置において，
　前記操作表示手段を介して動作予約が設定されると，実際に動作可能となって印刷可能となるまでの時間に，前記自動原稿送り手段および画像読取手段を制御して，原稿の画像を読み取って前記記憶手段に記憶させる制御手段を備えたことを特徴とするデジタル複写装置」において一致するが、次の点で両者は相違する。
　
（相違点）
　刊行物１に記載された発明は、請求項１に係る発明の「操作表示手段は，さらに動作予約中の原稿追加が可能か否かを示す動作予約追加原稿設定フラグを設定可能なものであり，前記制御手段は，さらに，動作予約中の原稿読み取り終了後であって前記印刷可能となるまでの間に，前記自動原稿送り手段に次の原稿が載置された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させる」という構成を有しない点。
　
（相違点の判断）
　相違点について検討するに、刊行物２には、ジョブの追加について、タッチスクリーン６２上にジョブ追加とラベルされているアイコンの形をしたソフトボタン１６０が表示されること、追加ジヨブに含まれる文書がＲＤＨモ−ドまたはＣＦＦモ−ドのいずれかで操作される場合、ジヨブ追加とラベルされているアイコンの形をしたソフトボタン１６０を押すことで実行でき、オペレ−タはジヨブ追加に含まれる文書をＡＤＦ３５の文書トレイ３７に装填して、タツチスクリ−ン６２上に表示される「走査開始」アイコンを指で触るかマウス６６を用いて実行することにより、ジョブ追加を行うこと、また、ＡＤＦ３５がＳＡＤＨモ−ド、手動プラテンモ−ド、またはブツクモ−ドで動作している場合は、ジヨブ追加機能は自動的に起動されることは記載されているが、制御手段が「動作予約中の原稿読み取り終了後であって前記印刷可能となるまでの間に，前記自動原稿送り手段に次の原稿が載置された場合，前記動作予約追加原稿設定フラグがＯＮか否かを判断して，前記動作予約追加原稿設定フラグにＯＮが設定されているときに，原稿読み取りを再開して，動作予約中の追加原稿として前記記憶手段に記憶させる」ことについては記載されておらず、刊行物２の記載から制御手段の上記の動作が自明のこととも認められない。
　
　したがって、請求項１に係る発明と刊行物１に記載された発明との他の相違点についての検討、判断を示すまでもなく、請求項１に係る発明は、前記の各刊行物に記載された発明に基いて当業者が容易に発明をすることができたものとすることはできない。
　
３−５−２．請求項２に係る発明について
　請求項２に係る発明は、請求項１に係る発明をさらに限定したものであるから、上記請求項１に係る発明についての判断と同様な理由により、上記刊行物１、２に記載の発明から当業者が容易に推考しうるものではない。
　
４．むすび
　以上のとおりであるから、異議申立人の理由及び証拠によっては、本件発明についての特許をを取り消すことはできない。
　また、他に本件発明についての特許を取り消すべき理由を発見しない。　
　よって結論のとおり決定する。
【異議決定日】
平成１６年１０月１３日（２００４．１０．１３）